(57)【特許請求の範囲】
【請求項１】
その円周方向に伸張する凹部が形成されたドラムと、
前記ドラムの軸方向の端部が前記凹部上に突出するように前記ドラム表面に巻装された画像記録媒体を、前記ドラム表面に固定するクランプ部材と、
前記画像記録媒体に対し画像記録を行う描画手段とを備えた描画装置であって、
前記クランプ部材には、前記凹部の直上以外であって前記凹部の略境界に対応する位置に配置され、前記画像記録媒体におけるその裏面が前記凹部周辺と当接する領域をその表面より押圧することで該画像記録媒体をドラム表面に沿って湾曲させる弾性体が配されていることを特徴とする描画装置。
【請求項２】
前記凹部は、前記ドラムの円周方向に伸張する溝部であることを特徴とする請求項１記載の描画装置。
【請求項３】
前記画像記録媒体は刷版であることを特徴とする請求項１または請求項２記載の描画装置。
【請求項４】
前記クランプ部材は、
前記画像記録媒体の前記凹部に対向する領域と前記凹部周辺に対向する領域との両方を押圧する固定部をさらに備える請求項１記載の描画装置。
【請求項５】
前記弾性体は前記画像記録媒体の先端領域そのものを、前記固定部は前記先端領域から前記ドラムの円周方向に少し離れた領域を、各々押圧する請求項４記載の描画装置。
【請求項６】
前記固定部における前記画像記録媒体と接触する側には、細かな凹凸が形成されている請求項５記載の描画装置。
【請求項７】
前記弾性体は、前記画像記録媒体を押圧する面が前記ドラムの周面の曲率に沿うように湾曲した形状とされている請求項１乃至請求項６のいずれか１項に記載の描画装置。
【発明の詳細な説明】
【０００１】
【発明の属する技術分野】
本発明は、感光作用、感熱作用等により画像記録が行われる画像記録媒体を記録ドラムの外周面に固定し、該感光記録媒体に描画を行う描画装置に関する。
【０００２】
【従来技術】
感光材料等の画像記録媒体に対して光を照射して描画を行うために種々の描画装置が用いられている。ドラム型の描画装置では、主走査方向に回転可能な記録ドラム上に画像記録媒体が装着され、レーザダイオード等を備えた記録ヘッドが記録ドラムの回転軸と平行な副走査方向に移動して感光記録媒体に描画を行う。
【０００３】
図７は、従来の描画装置の記録ドラム１１０の概略側面図である。記録ドラム１１０は側部１９５に対して回転自在に保持されている。記録ドラム１１０には、画像記録媒体として刷版１２０が装着される。記録ドラム１１０の外周面には、刷版１２０の一端を固定する前端クランプ１３０が固定されるとともに、刷版１２０の後端を固定する後端クランプ１６０が着脱自在に取り付けられている。前端クランプ１３０は、前端クランプ押圧装置１７０から伸縮する解除ピン１７１によってその一端が押圧されることにより開閉する。後端クランプ１６０は、通常は後端クランプ保持装置１８０の保持ピン１８１によって保持されている。記録ドラム１１０上の刷版１２０の後端が該保持装置１８０に対向したときに、後端クランプ１６０は保持ピン１８１から記録ドラム１１０に移され、後述のクランプ溝１１１に係合し記録ドラム１１０表面に固定される。記録ヘッド１９０は画像信号によって変調されるレーザ光を刷版１２０に向けて照射することで刷版１２０上に画像を描画する。
【０００４】
図８は、記録ドラム１１０の斜視図である。図８に示すように、記録ドラム１１０の外周面には、円周方向に伸びるクランプ溝１１１が複数本形成されている。記録ドラム１１０の外周面上には複数の前端クランプ固定板１３０および複数の後端クランプ１６０が設けられている。
【０００５】
複数の前端クランプ１３０は、記録ドラム１１０の軸方向に沿って配列され、記録ドラム１１０の外周面に固定されている。一方、複数の後端クランプ１６０は、記録ドラム１１０の軸方向に沿って配列され、それぞれクランプ溝１１１に沿って円周方向に移動可能に記録ドラム１１０の外周面に取り付けられている。
【０００６】
図９に、前端クランプ１３０の裏面（刷版１２０と対向する面）を示す。前端クランプ１３０は、６本のリブ１３６を備えた刷版固定板１３１と、刷版固定板１３１を付勢するスプリングを固定するスプリング固定ピン１３５、リブ１３６を貫通するように刷版固定板１３１に取り付けられるシャフト１４１、シャフト１４１を記録ドラム１１０の表面上に支持する軸受１４０、シャフト１４１を軸受１４０に保持するスペーサ１４２およびボルト１４３からなっている。
【０００７】
図１０は、前端クランプ１３０をその長手方向中央部分で切断した断面図である。この図に示すように、刷版固定板１３１はシャフト１４１を中心に回動自在に保持されていて、他方側部１３１ｂは、スプリング固定ピン１３５（図９参照）に貫装された図示しないスプリングより、回転ドラム１１０表面から離隔する方向に付勢されている。前端クランプ１３０は、この図には図示しない解除ピン１７１（図７参照）が他方側部１３１ｂを押圧するとき、反時計方向に回動して刷版１２０の受け入れが可能になる。この後、解除ピン１７１が後退すると、スプリングの反発力により時計方向に回動して刷版１２０を一方側部１３１ａと回転ドラム１１０表面との間で固定する。
【０００８】
刷版１２０を確実に固定するために、刷版固定板１３１は、刷版１２０の先端から少し離れた部分を押圧している。即ち、刷版１２０の先端領域そのものは、刷版固定板の一方側部１３１ａによる押圧がなされていない。
【０００９】
【発明が解決しようとする課題】
図１１は、記録ドラム１１０上の刷版１２０の固定状態を示すための模式図である。先述の通り、記録ドラム１１０の表面には、後端クランプ１６０を移動可能に保持するためのクランプ溝１１１が、記録ドラム１１０の円周方向に複数形成されている。前端クランプ１３０が刷版１２０を押圧する部分にはハッチングが付されている。
【００１０】
記録ドラム１１０には、横方向（記録ドラム１１０の軸方向）に関する様々なサイズの刷版１２０が装着される。そのため時には、この図に示すように、刷版１２０の側端部分がクランプ溝１１１の上にかかることがある。この部分を以後、刷版１２０の突出部１２２と言い、それ以外を非突出部１２４と言う。
【００１１】
刷版１２０の先端領域は押圧されていないので記録ドラム１１０の周面に沿うように湾曲していない。そのため、記録ドラム１１０の周面に密着している他の部分よりも、この領域は垂直方向の外力に対する抵抗力が弱い。したがって、突出部１２２がクランプ溝１１１に落ち込むと共に、突出部１２２から非突出部１２４にかけて、刷版１２０が横方向（記録ドラム１１０の軸方向）に波打つように変形する恐れがある（図１２参照）。
【００１２】
刷版１２０がこのように変形してしまうと、記録ヘッド１９０から射出されるレーザ光が刷版１２０表面で焦点を結ばなくなるので、刷版１２０の描画の品質が劣化する恐れがある。
【００１３】
本発明はこのような変形を防止するためになされたものである。
【００１４】
【課題を解決するための手段および効果】
このような目的を達成すく、前記課題を解決するための手段として、以下に示す構成を採った。
【００１５】
（１）第１の発明
第１の発明に係る描画装置は、その円周方向に伸張する凹部が形成されたドラムと、前記ドラムの軸方向の端部が前記凹部上に突出するように前記ドラム表面に巻装された画像記録媒体を、前記ドラム表面に固定するクランプ部材と、前記画像記録媒体に対し画像記録を行う描画手段とを備えた描画装置であって、前記クランプ部材には、前記凹部の直上以外であって前記凹部の略境界に対応する位置に配置され、前記画像記録媒体におけるその裏面が前記凹部周辺と当接する領域をその表面より押圧することで該画像記録媒体をドラム表面に沿って湾曲させる弾性体が配されていることを特徴とする描画装置である。
【００１６】
本発明に係る描画装置においては、凹部周辺の画像記録媒体を押圧することで該画像記録媒体をドラム表面に沿って湾曲させる弾性体がクランプ部材に配されているので、画像記録媒体が、垂直方向の外力に対する抵抗性を備えるようになり画像記録媒体が凹部に落ち込んで変形することがない。このように画像記録媒体の平坦性が維持されるので、該媒体に対する描画を良好に行うことができる。
【００１７】
（２）第２の発明
第２の発明に係る描画装置は、第１の発明に係る描画装置において、前記凹部が、前記ドラムの円周方向に伸長する溝部であることを特徴とする。
【００１８】
この場合、画像記録媒体の一部分が、ドラムの円周方向に伸長する溝部に落ち込んで変形することがない。
【００１９】
（３）第３の発明
第３の発明に係る描画装置は、請求項１または請求項２の発明に係る描画装置において、前記画像記録媒体は刷版であることを特徴とする。
【００２０】
この場合、ドラム表面に固定される刷版には刷版変形による描画品質の劣化が生じることがない。
【００２１】
（４）第４の発明
第４の発明に係る描画装置は、請求項１の発明に係る描画装置において、前記クランプ部材が、前記画像記録媒体の前記凹部に対向する領域と前記凹部周辺に対向する領域との両方を押圧する固定部をさらに備える。
【００２２】
この場合、画像記録媒体を確実に固定することができる。
【００２３】
（５）第５の発明
第５の発明に係る描画装置は、請求項４の発明に係る描画装置において、前記弾性体は前記画像記録媒体の先端領域そのものを、前記固定部は前記先端領域から前記ドラムの円周方向に少し離れた領域を、各々押圧する。
【００２４】
この場合、画像記録媒体を確実に固定することができる。
【００２５】
（６）第６の発明
第６の発明に係る描画装置は、請求項５の発明に係る描画装置において、前記固定部における前記画像記録媒体と接触する側には、細かな凹凸が形成されている。
【００２６】
この場合、画像記録媒体の保持を確実にすることができる。
【００２７】
（７）第７の発明
第７に発明に係る描画装置は、請求項１乃至請求項６のいずれか１項の発明に係る描画装置において、前記弾性体は、前記画像記録媒体を押圧する面が前記ドラムの周面の曲率に沿うように湾曲した形状とされている。
【００２８】
この場合、画像記録媒体がドラムの周面に沿うように湾曲した状態で固定される。
【００２９】
【実施態様】
図１に、本発明にかかる前端クランプ３０を示す。この前端クランプ３０は、先に図７、図８を用いて説明した記録ドラム１１０に適用される。
【００３０】
前端クランプ３０の刷版固定板３１は概略水平な本体部３１ｃとこれに立設された６本のリブ３６とからなっている。本体部３１ｃは前後端で屈折しそれぞれ一方側部３１ａ、他方側部３１ｂを形成する。一方側部３１ａは刷版１２０を押圧固定する。一方側部３１ａの裏面（刷版１２０に接触する側）にはセラミック加工等が施され刷版１２０の保持を確実にするための細かな凹凸が存在する。リブ３６にはシャフト４１が貫装している。該シャフト４１はボルト４３、４３によって左右方向の移動が規制され、４個のスペーサ４２によって刷版固定板３１に対する位置が決められている。シャフト４１にはさらに２個の軸受４０が貫装されている。軸受４０は記録ドラム１１０表面の所定位置に固定される。刷版固定板３１の他方側部３１ｂの裏面には２本のスプリング固定ピン３５が立設される。該固定ピン３５には図示しないスプリングが取り付けられる。刷版固定板３１の一方側部３１ａ側には２個の長孔３２が形成され、他方側部３１ｂ側には２個の矩形孔３３が形成される。長孔３２は前端クランプ３によって刷版１２０が確実に押圧されているか否かを検出する光センサ用の検出窓である。
【００３１】
刷版固定板３１の本体部３１ｃの裏面の一方側部３１ａ側には、長手方向中央位置振り分けで２個の弾性体３８、３９が取り付けられている。弾性体３８、３９はゴムまたはバネで構成される。
【００３２】
図２に、記録ドラム１１０周面のクランプ溝１１１にはめ込まれて、刷版１２０を下から支持する刷版支持装置７を示す。刷版支持装置７はクランプ溝１１１内に固定される下部分７０と、下部分７０をクランプ溝１１１に固定するボルト８０と、下部分７０に対して摺動自在に接合される上部分７５と、下部分７０と上部分７５とを接合するネジ８２とを備えている。
【００３３】
刷版支持装置７は支持面７８により刷版１２０を下から支持することで、刷版１２０がクランプ溝１１１に落ち込むのを防止する装置であり、記録ドラム１１０回転時に発生する遠心力により上部分７５が下部分７０から離れる方向に摺動することができる。
【００３４】
図３は、刷版固定板３１とその周辺部分の断面図である。刷版保持板３１はシャフト４１により回動可能に記録ドラム１１０表面に設置されている。この図に示すように弾性体３８、３９は、その底面が記録ドラム１１０の周面の曲率に沿うように僅かに湾曲した形状とされている。
【００３５】
一方、刷版支持装置７は、その上部分７５の上面（支持面７８）が記録ドラム１１０の停止時に、記録ドラム１１０の表面と同じ高さになるようにクランプ溝１１１内に固定されている。
【００３６】
こうして、刷版１２０の先端領域は弾性体３８、３９によって記録ドラム１１０の周面に沿うように湾曲した状態で固定される。
【００３７】
なお、弾性体３８、３９は、クランプ溝１１１を覆う部分には設けられていない。この理由を図４乃至図６を用いて説明する。
【００３８】
図４は記録ドラム１１０上の刷版１２０の固定状態を示すための模式図である。先述の通り、記録ドラム１１０の表面には、後端クランプ１６０を移動可能に保持するためのクランプ溝１１１が、記録ドラム１１０の円周方向に複数形成されている。刷版保持板３１が刷版１２０を押圧する部分にはハッチングを付している。この図に示すように、刷版１２０の先端部分は、一方側部３１ａおよび弾性体３８、３９により記録ドラム１１０の表面に沿うように湾曲して固定される。このように刷版１２０が湾曲すると、そうでない状態よりも、鉛直方向の外力に対する抵抗性が強まる。こうすると突出部１２２がクランプ溝１１１に沈み込むことがないので、刷版１２０の全長に亘る平坦性が確保される（図５参照）。
【００３９】
弾性体３８、３９はクランプ溝１１１の直上には配されていない。これは、刷版１２０が弾性体３８、３９によってクランプ溝１１１の中に押し込まれることを防止するためである。すなわち、刷版１２０の先端領域は湾曲によって垂直方向の外力に対する抵抗性が向上しているが、それでも弾性体３８、３９によって押圧されると、図６に示すように、突出部１２２がクランプ溝１１１内方に向かって微小変形する恐れがあるからである。
【００４０】
また、弾性体３８、３９は、クランプ溝１１１近傍に設ければよく、各刷版押圧板１３１の長手方向全長に亘って設ける必要はない。
【００４１】
以上、刷版１２０の先端を押圧する前端クランプ３１を例にして説明したが、本発明は後端クランプについても適用することが可能である。
【図面の簡単な説明】
【図１】本発明の一実施例における前端クランプの裏面を示す図面である。
【図２】本発明の一実施例において使用される刷版支持装置の斜視図である。
【図３】本発明の一実施例における前端クランプとその周辺部分の断面図である。
【図４】前端クランプによる刷版の押圧の様子を示す模式図である。
【図５】本発明の一実施例における刷版と弾性体との関連を示す模式図である。
【図６】本発明の一実施例における刷版と弾性体との関連を示す模式図である。
【図７】従来の描画装置要部の側面図である。
【図８】従来の記録ドラム１１０の斜視図である。
【図９】従来の前端クランプの裏面図である。
【図１０】従来の前端クランプの断面図である。
【図１１】従来の描画装置における後端クランプ１６０の一部断面図である。
【図１２】従来の前端クランプによる刷版の押圧の様子を示す模式図である。
【符号の説明】
２ 刷版
７ 刷版支持装置
３０ 前端クランプ（実施例）
３１ 刷版固定板
３１ａ 一方側部
３１ｂ 他方側部
３１ｃ 本体部
３２ 長孔
３３ 矩形孔
３５ スプリング固定ピン
３６ リブ
３８ 弾性体
３９ 弾性体
４０ 軸受
４１ シャフト
４２ スペーサ
４３ ボルト
７０ 上部分
７１ 底面
７２ 摺動面
７３ 孔
７５ 下部分
７７ 摺動面
７８ 支持面
８０ ボルト
８２ ネジ
１１０ 記録ドラム
１１１ クランプ溝
１２０ 刷版
１２２ 突出部
１２４ 非突出部
１３０ 前端クランプ
１３１ 刷版固定板
１３１ａ 一方側部
１３１ｂ 他方側部
１３２ 長孔
１３３ 矩形孔
１３５ スプリング固定ピン
１３６ リブ
１４０ 軸受
１４１ シャフト
１４２ スペーサ
１４３ ボルト
１６０ 後端クランプ
１７０ 前端クランプ押圧装置
１７１ 解除ピン
１８０ 後端クランプ保持装置
１８１ 保持ピン
１９０ 記録ヘッド
１９５ 側部
【図１】
0003595229.tif 000002
【図２】
0003595229.tif 000003
【図３】
0003595229.tif 000004
【図４】
0003595229.tif 000005
【図５】
0003595229.tif 000006
【図６】
0003595229.tif 000007
【図７】
0003595229.tif 000008
【図８】
0003595229.tif 000009
【図９】
0003595229.tif 000010
【図１０】
0003595229.tif 000011
【図１１】
0003595229.tif 000012
【図１２】
0003595229.tif 000013